(57)【要約】【課題】多数の画像があっても素早く所望の画調変換を行った画像を把握することができ、また、その表示画像を他の機器でも再生可能にする。【解決手段】１６枚のサムネイルを表示させ（ステップＳ１０１）、１６枚のサムネイルのいずれかに対するワンタッチが検出された場合には、当該サムネイルを画調変換する（ステップＳ１０４）。また、ＮＥＸＴボタンがタッチされた場合には、表示されている１６枚の画像において、画調変換画像を除くサムネイルを他のサムネイルに表示変更する（ステップＳ１０６）。つまり、ＮＥＸＴボタンをタッチすれば、それまでユーザが画調変換を所望して変換させた画調変調画像はそのまま維持され、所望しない他のサムネイルは新たなサムネイルに変更される。これを繰り返すことによって、画調変換したサムネイルを１つの画面に集約する。【選択図】図４
2011248760.tif 000002
【特許請求の範囲】
【請求項１】
本画像を表す画像データを複数記憶する記憶手段と、
表示手段と、
前記表示手段に、前記本画像に対して縮小された画像である縮小画像を複数表示する第１の表示制御手段と、
前記表示手段に表示された前記複数の縮小画像のいずれかを指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
ページ送り操作に応じて、前記表示手段に表示されている変換画調画像を残して、縮小画像を他の縮小画像に表示変更する第３の表示制御手段と
を具備したことを特徴とする画像表示装置。
【請求項２】
本画像を表す画像データを複数記憶する記憶手段と、
表示手段と、
前記表示手段に、前記本画像に対して縮小された画像である縮小画像を複数表示する第１の表示制御手段と、
前記表示手段に表示された前記複数の縮小画像のいずれかを指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
ページ送り操作に応じて、前記表示手段に表示されている変換画調画像を残して、縮小画像を他の縮小画像に表示変更する第３の表示制御手段とを具備し、
前記画調変換手段は、更に前記表示手段に表示された変換画調画像を指定する操作に応じて、当該指定された変換画調画像に対応する縮小画像を異なる画調に変換し、
前記第２の表示制御手段は、更に前記画調変換手段により変換された異なる画調の変換画調画像を前記指定された変換画調画像に代えて、前記表示手段に表示させることを特徴とする画像表示装置。
【請求項３】
取消操作に応じて、前記表示手段に表示されている全ての画像を消去して、前記本画像に対して縮小された画像である縮小画像を複数表示する第４の表示制御手段を具備したことを特徴とする請求項１又は２記載の画像表示装置。
【請求項４】
本画像を表す画像データを複数記憶する記憶手段と、
表示手段と、
前記表示手段に、前記本画像に対して縮小された画像である縮小画像を複数表示する第１の表示制御手段と、
前記表示手段に表示された前記複数の縮小画像のいずれかを指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
ページ送り操作に応じて、前記表示手段に表示されている絵画調画像を残して、縮小画像を他の縮小画像に表示変更する第３の表示制御手段とを具備し、
一括指定操作に応じて、前記表示手段に表示されている変換画調縮小画像に対応する本画像を、当該画調に変換する手段と、
を具備したことを特徴とする画像表示装置。
【請求項５】
前記画調変換手段は、更に前記表示手段に表示された変換画調画像を選択する操作に応じて、当該選択された変換画調画像に対応する縮小画像の本画像を当該選択された変換画調画像の画調に変換することを特徴とする請求項１ないし３にいずれか記載の画像表示装置。
【請求項６】
前記画調変換手段は、更に所定の操作に応じて、前記表示手段に表示されている全ての変換画調画像に対応する縮小画像の本画像を当該選択された変換画調画像の画調に変換することを特徴とする請求項１ないし３にいずれか記載の画像表示装置。
【請求項７】
前記画調変換手段は、前記本画像の画調変換画像を前記記憶手段に記録する手段を備えることを特徴とする請求項５又は６記載の画像表示装置。
【請求項８】
本画像を表す画像データを複数記憶する記憶手段と、表示手段とを具備する画像表示装置における画像表示方法であって、
前記表示手段に、前記本画像に対して縮小された画像である縮小画像を複数表示する第１の表示制御ステップと、
前記表示手段に表示された前記複数の縮小画像のいずれかを指定する操作に応じて、当該指定された縮小画像を複数種類の画調のいずれかに変換する画調変換ステップと、
前記画調変換ステップにより画調変換された変換画調画像を前記指定された縮小画像に代えて、前記表示手段に表示させる第２の表示制御ステップと、
ページ送り操作に応じて、前記表示手段に表示されている絵画調画像を残して、縮小画像を他の縮小画像に表示変更する第３の表示制御ステップと
を含むことを特徴とする画像表示方法。
【請求項９】
本画像を表す画像データを複数記憶する記憶手段と、表示手段とを具備する画像表示装置における画像表示方法であって、
前記表示手段に、前記本画像に対して縮小された画像である縮小画像を複数表示する第１の表示制御ステップと、
前記表示手段に表示された前記複数の縮小画像のいずれかを指定する操作に応じて、当該指定された縮小画像を複数種類の画調のいずれかに変換する画調変換ステップと、
前記画調変換ステップにより画調変換された変換画調画像を前記指定された縮小画像に代えて、前記表示手段に表示させる第２の表示制御ステップと、
ページ送り操作に応じて、前記表示手段に表示されている絵画調画像を残して、縮小画像を他の縮小画像に表示変更する第３の表示制御ステップとを含み、
前記画調変換手段は、更に前記表示手段に表示された変換画調画像を指定する操作に応じて、当該指定された変換画調画像に対応する縮小画像を異なる調画に変換し、
前記第２の表示制御手段は、更に前記画調変換手段により変換された異なる画調の変換画調画像を前記指定された変換画調画像に代えて、前記表示手段に表示させることを特徴とする画像表示方法。
【請求項１０】
表示手段に複数の縮小画像を表示させ、
前記複数表示されている縮小画像を指定すると所定の画調に変換して変換画調縮小画像に置き換えて表示し、
ページ送り指示により変換画調縮小画像は残したまま他の縮小画像を新たな縮小画像に置き換えて表示し、
一括変換指示により表示されているすべての変換画調縮小画像に対応する本画像を当該画調に変換することを特徴とする画像表示方法。
【請求項１１】
本画像を表す画像データを複数記憶する記憶手段と、表示手段とを備える画像表示装置が有するコンピュータが読み取り実行可能なプログラムであって、
前記コンピュータを、
前記表示手段に、前記本画像に対して縮小された画像である縮小画像を複数表示する第１の表示制御手段と、
前記表示手段に表示された前記複数の縮小画像のいずれかを指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
ページ送り操作に応じて、前記表示手段に表示されている絵画調画像を残して、縮小画像を他の縮小画像に表示変更する第３の表示制御手段と
して機能させることを特徴とするプログラム。
【請求項１２】
本画像を表す画像データを複数記憶する記憶手段と、表示手段とを備える画像表示装置が有するコンピュータが読み取り実行可能なプログラムであって、
前記コンピュータを、
前記表示手段に、前記本画像に対して縮小された画像である縮小画像を複数表示する第１の表示制御手段と、
前記表示手段に表示された前記複数の縮小画像のいずれかを指定する操作に応じて、当該指定された縮小画像を複数種類の画調のいずれかに変換する画調変換手段と、
前記画調変換手段により画調変換された変換画調画像を前記指定された縮小画像に代えて、前記表示手段に表示させる第２の表示制御手段と、
ページ送り操作に応じて、前記表示手段に表示されている絵画調画像を残して、縮小画像を他の縮小画像に表示変更する第３の表示制御手段として機能させ、
前記画調変換手段は、更に前記表示手段に表示された変換画調画像を指定する操作に応じて、当該指定された変換画調画像に対応する縮小画像を異なる調画に変換し、
前記第２の表示制御手段は、更に前記画調変換手段により変換された異なる画調の変換画調画像を前記指定された変換画調画像に代えて、前記表示手段に表示させるように機能させることを特徴とするプログラム。
【発明の詳細な説明】
【技術分野】
【０００１】
本発明は、画像表示装置、画像表示方法並びにプログラムに関し、特に画像を異なった画調の画像に変換する技術に関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、いわゆるデジタルフォトフレームが実現され普及している（例えば、特許文献１）。
【０００４】
デジタルフォトフレームでは、デジタル方式の特性を活かし、従来のプリント写真を掲出するフォトフレームではできなかった複数の写真をスライドショー形式で表示するなどの多様な表示態様を実現することができるとともに、画像処理を加えることで、例えば、元の写真をベースとしつつも趣の異なる画調の画像（例えば絵画調など）を生成して表示することができるようにした発明が提案されている（例えば、特許文献２）。
【０００５】
これにより、単なる写真ではなく、あたかも絵画のように楽しむことができるが、特許文献２に記載の技術では、画素単位でシミュレートするために、画像全体を勘案して芸術性を高めるという点においては不足する点もあった。
【０００６】
このため、実際に画家が描いた絵画の画像から色彩情報と筆触情報等の特徴を抽出し、撮影された画像に抽出した特徴を付与することにより、原画像全体を勘案して芸術性の高い絵画調画像に変換する技術も提案されるに至っている（例えば、特許文献３）。
【０００７】
これにより、原画像から芸術性の高い画像を得るための画像処理として、原画像全体を勘案して、芸術性の演出効果をより高める画像のデータを生成する画像処理を実現することができる。
【先行技術文献】
【特許文献】
【０００８】
【特許文献１】特開２００９−１４１６７８号公報
【特許文献２】特開平８−４４８６７号公報
【特許文献３】特開２００４−２１３５９８号公報
【発明の概要】
【発明が解決しようとする課題】
【０００９】
しかしながら、上記発明における画調変換には油絵調、水彩画調、パステル画調・・・など多数の画調変換が含まれるが、このような変換処理を実施するためには、ＣＰＵによる大量の演算を必要とするため、画像を変換する時間が長いという課題がある。
【００１０】
変換処理に時間がかかると、その場で色々な変換を試して最適な変換画調画像を選択するのは困難となる。
【００１１】
本発明は、上記のような事情に鑑みなされたもので、素早く複数種類の画調変換を行った画像の雰囲気を把握することができる画像表示装置、画像表示方法並びにプログラムを提供することを目的とする。
【００１２】
また、所望の種類の画調で変換する画像を素早く選択することができる画像表示装置、画像表示方法並びにプログラムを提供することを目的とする。
【課題を解決するための手段】
【００１３】
前記課題を解決するため、請求項１記載の発明では、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、ページ送り操作に応じて、前記表示手段に表示されている画調画像を残して、縮小画像を他の縮小画像に表示変更する第３の表示制御手段とを具備したことを特徴とする画像表示装置を提供するものである。
【００１４】
請求項２記載の発明では、本画像を表す画像データを複数記憶する記憶手段と、表示手段と、前記表示手段に、前記本画像に対して縮小された画像である縮小画像を複数表示する第１の表示制御手段と、前記表示手段に表示された前記複数の縮小画像のいずれかを指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、ページ送り操作に応じて、前記表示手段に表示されている変換画調画像を残して、縮小画像を他の縮小画像に表示変更する第３の表示制御手段とを具備し、前記画調変換手段は、更に前記表示手段に表示された変換画調画像を指定する操作に応じて、当該指定された変換画調画像に対応する縮小画像を異なる画調に変換し、前記第２の表示制御手段は、更に前記画調変換手段により変換された異なる画調の変換画調画像を前記指定された変換画調画像に代えて、前記表示手段に表示させることを特徴とする画像表示装置を提供するものである。
【００１５】
請求項３記載の発明では、取消操作に応じて、前記表示手段に表示されている全ての画像を消去して、前記本画像に対して縮小された画像である縮小画像を複数表示する第４の表示制御手段を具備したことを特徴とする請求項１又は２記載の画像表示装置を提供するものである。
【００１６】
請求項４記載の発明では、本画像を表す画像データを複数記憶する記憶手段と、  表示手段と、前記表示手段に、前記本画像に対して縮小された画像である縮小画像を複数表示する第１の表示制御手段と、前記表示手段に表示された前記複数の縮小画像のいずれかを指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、ページ送り操作に応じて、前記表示手段に表示されている絵画調画像を残して、縮小画像を他の縮小画像に表示変更する第３の表示制御手段とを具備し、一括指定操作に応じて、前記表示手段に表示されている変換画調縮小画像に対応する本画像を、当該画調に変換する手段と、
を具備したことを特徴とする画像表示装置を提供するものである。
【００１７】
請求項５記載の発明では、前記画調変換手段は、更に前記表示手段に表示された変換画調画像を選択する操作に応じて、当該選択された変換画調画像に対応する縮小画像の本画像を当該選択された変換画調画像の画調に変換することを特徴とする請求項１ないし３にいずれか記載の画像表示装置を提供するものである。
【００１８】
請求項６記載の発明では、前記画調変換手段は、更に所定の操作に応じて、前記表示手段に表示されている全ての変換画調画像に対応する縮小画像の本画像を当該選択された変換画調画像の画調に変換することを特徴とする請求項１ないし３にいずれか記載の画像表示装置を提供するものである。
【００１９】
請求項７記載の発明では、前記画調変換手段は、前記本画像の画調変換画像を前記記憶手段に記録する手段を備えることを特徴とする請求項５又は６記載の画像表示装置を提供するものである。
【００２０】
請求項８記載の発明では、本画像を表す画像データを複数記憶する記憶手段と、表示手段とを具備する画像表示装置における画像表示方法であって、前記表示手段に、前記本画像に対して縮小された画像である縮小画像を複数表示する第１の表示制御ステップと、前記表示手段に表示された前記複数の縮小画像のいずれかを指定する操作に応じて、当該指定された縮小画像を複数種類の画調のいずれかに変換する画調変換ステップと、前記画調変換ステップにより画調変換された変換画調画像を前記指定された縮小画像に代えて、前記表示手段に表示させる第２の表示制御ステップと、ページ送り操作に応じて、前記表示手段に表示されている絵画調画像を残して、縮小画像を他の縮小画像に表示変更する第３の表示制御ステップとを含むことを特徴とする画像表示方法を提供するものである。
【００２１】
請求項９記載の発明では、本画像を表す画像データを複数記憶する記憶手段と、表示手段とを具備する画像表示装置における画像表示方法であって、前記表示手段に、前記本画像に対して縮小された画像である縮小画像を複数表示する第１の表示制御ステップと、前記表示手段に表示された前記複数の縮小画像のいずれかを指定する操作に応じて、当該指定された縮小画像を複数種類の画調のいずれかに変換する画調変換ステップと、前記画調変換ステップにより画調変換された変換画調画像を前記指定された縮小画像に代えて、前記表示手段に表示させる第２の表示制御ステップと、ページ送り操作に応じて、前記表示手段に表示されている絵画調画像を残して、縮小画像を他の縮小画像に表示変更する第３の表示制御ステップとを含み、前記画調変換手段は、更に前記表示手段に表示された変換画調画像を指定する操作に応じて、当該指定された変換画調画像に対応する縮小画像を異なる調画に変換し、前記第２の表示制御手段は、更に前記画調変換手段により変換された異なる画調の変換画調画像を前記指定された変換画調画像に代えて、前記表示手段に表示させることを特徴とする画像表示方法を提供するものである。
【００２２】
請求項１０記載の発明では、表示手段に複数の縮小画像を表示させ、前記複数表示されている縮小画像を指定すると所定の画調に変換して変換画調縮小画像に置き換えて表示し、ページ送り指示により変換画調縮小画像は残したまま他の縮小画像を新たな縮小画像に置き換えて表示し、一括変換指示により表示されているすべての変換画調縮小画像に対応する本画像を当該画調に変換することを特徴とする画像表示方法を提供するものである。
【００２３】
請求項１１記載の発明では、本画像を表す画像データを複数記憶する記憶手段と、表示手段とを備える画像表示装置が有するコンピュータが読み取り実行可能なプログラムであって、前記コンピュータを、前記表示手段に、前記本画像に対して縮小された画像である縮小画像を複数表示する第１の表示制御手段と、前記表示手段に表示された前記複数の縮小画像のいずれかを指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、ページ送り操作に応じて、前記表示手段に表示されている絵画調画像を残して、縮小画像を他の縮小画像に表示変更する第３の表示制御手段として機能させることを特徴とするプログラムを提供するものである。
【００２４】
請求項１２記載の発明では、本画像を表す画像データを複数記憶する記憶手段と、表示手段とを備える画像表示装置が有するコンピュータが読み取り実行可能なプログラムであって、前記コンピュータを、前記表示手段に、前記本画像に対して縮小された画像である縮小画像を複数表示する第１の表示制御手段と、前記表示手段に表示された前記複数の縮小画像のいずれかを指定する操作に応じて、当該指定された縮小画像を複数種類の画調のいずれかに変換する画調変換手段と、前記画調変換手段により画調変換された変換画調画像を前記指定された縮小画像に代えて、前記表示手段に表示させる第２の表示制御手段と、ページ送り操作に応じて、前記表示手段に表示されている絵画調画像を残して、縮小画像を他の縮小画像に表示変更する第３の表示制御手段として機能させ、前記画調変換手段は、更に前記表示手段に表示された変換画調画像を指定する操作に応じて、当該指定された変換画調画像に対応する縮小画像を異なる調画に変換し、前記第２の表示制御手段は、更に前記画調変換手段により変換された異なる画調の変換画調画像を前記指定された変換画調画像に代えて、前記表示手段に表示させるように機能させることを特徴とするプログラムを提供するものである。
【発明の効果】
【００２５】
本発明によれば、素早く多数の画像に対して複数種類の画調変換を行った場合の雰囲気を見ることができる。また、画調変換すべき画像を素早く選択することができる。
【図面の簡単な説明】
【００２６】
【図１】（ａ）は本発明の実施の形態に係る画像表示装置の外観を示す正面図、また、同図（ｂ）は側面図である。
【図２】画像表示装置の回路構成を示すブロック図である。
【図３】（ａ）はメモリカードにおけるフォルダＡの記憶状態を示す図であり、（ｂ）はフォルダＢの記憶状態を示す図である。
【図４】本発明の実施の形態における画像表示装置の処理手順を示すフローチャートである。
【図５】実施の形態における遷移図である。
【図６】図５に続く遷移図である。
【図７】図６に続く遷移図である。
【図８】図７に続く遷移図である。
【図９】図８（ａ）に続く他の遷移図である。
【発明を実施するための形態】
【００２７】
以下、本発明の実施形態について説明する。図１（ａ）は本発明を適用した画像表示装置１の正面図、図１（ｂ）は画像表示装置１の側面図である。画像表示装置１の正面は、本体２に保持された液晶表示パネル３によって構成される表示部により、ほぼ全域が占められている。本体２の側面には、電源スイッチ４及び操作スイッチ５、メモリカードスロット６が設けられている。
【００２８】
図２は、画像表示装置１の電気的構成を示したブロック図である。画像表示装置１は、ＣＰＵ（Central Processing Unit）１１と、ＣＰＵ１１に接続されたＲＯＭ（Read Only Memory）１２、ＲＡＭ（Random Access memory）１３、前記電源スイッチ４と操作スイッチ５とを含むスイッチ部１５、表示コントローラ１６、メモリカードコントローラ１７、タッチパネル１９及び無線通信部２０を有している。
【００２９】
ＲＯＭ１２には、ＣＰＵ１１に後述するフローチャートに示す動作を行わせるためのプログラムが記憶されている。また、ＲＯＭ１２には、画調変換のためのプログラムが記憶されているもので、例えば実際に画家により描かれた油絵、水彩画、パステル画、鉛筆画、クレヨン画、イラスト画、点描画、エアブラシ画の各原画と、これら原画から色彩情報と筆触情報等の特徴を抽出し、抽出した特徴を付与することで入力画像に対し画調変換処理を行い、変換画調画像を作成する特開２００４−２１３５９８に開示されている技術に基づく変換画調画像作成プログラムも記憶されている。
【００３０】
ＲＡＭ１３は、ＣＰＵ１１が必要に応じて種々のデータを一時的に記憶する作業用のメモリである。表示コントローラ１６は、ＣＰＵ１１から供給される表示用の画像データに基づき液晶表示パネル３を駆動することにより、画像データにより表される画像を液晶表示パネル３に表示させる。メモリカードコントローラ１７は、メモリカードスロット６に着脱自在に装着された各種のメモリカード１８と、これに接続されたＣＰＵ１１との間におけるデータの入出力を制御する入出力インターフェースである。
【００３１】
タッチパネル１９は、液晶表示パネル３に積層され、液晶表示パネル３上におけるユーザの手指によるタッチ位置を検出する。タッチ入力方式は光学式、静電容量方式等色々あり、方式に限定されるものではなく、位置検出はカーソルによる選択でよい。
【００３２】
無線通信部２０は、アンテナ２１に接続されており、端末認証処理を含む通信処理を行う。また、無線通信部２０は、ＷＷＷ接続制御を行うものであって、パケットデータ生成回路、及びパケットデータ復元回路を含み、通信プロトコルに沿ったデータ処理を行う。
【００３３】
本画像表示装置１は固有のメールアドレスを有し、この無線通信部２０を介してメールの送受信ができる。画像はＳＤカードから供給される前提で説明しているが、インターネットを介してダウンロード若しくはメールに添付した画像からも提供を受けることができる。通信により受信した画像も後述するメモリカード１８に記録される。
【００３４】
また、画像表示装置１には、動作モードとして通常モードとエフェクトモードとが用意されており、ユーザが操作スイッチ５を所定の手順で操作することによって、動作モードの切替が可能となっている。
【００３５】
通常モードは、一般的なデジタルフォトフレーム（ＤＰＦ）と同様に、メモリカード１８に画像データとして記憶されている画像を液晶表示パネル３にそのまま表示する動作モードである。なお、画像表示装置１において表示可能な画像は、例えばデジタルカメラによって撮像された画像であり、ＪＰＥＧ（Joint Photographic Expert Group）方式により圧縮され、撮影日時等の付加情報と共に静止画ファイルとして記憶されている画像である。もちろんＲＡＷ、ＢＭＰ、ＰＮＧなど各種の画像フォーマットをサポートすることができる。画像ソースはデジタルカメラで撮影したものでなくてもよい。
【００３６】
エフェクトモードは、メモリカード１８に記憶されている表示対象の画像を、絵画が有する特徴を備えた絵画調画像、つまり特定の効果を与えた絵画調画像に変換し、変換後の絵画調画像を液晶表示パネル３に表示する動作モードである。
【００３７】
また、エフェクトモードでは、絵画調画像への変換に際して目標とする絵画の種類、つまり変換画調画像にすることができる特徴（画調）が選択可能である。本実施の形態において、選択可能な画調は油絵調、水彩画調、パステル画調、鉛筆画調、クレヨン画調、イラスト画調、点描画調、エアブラシ画調とする。しかし、これに限ることなく、ゴッホ調、モネ調、ピカソ調など、画家の特徴を加味した変換の選択を可能としても良い。また、別の画調のアルゴリズムを後述するメモリカード１８で提供するようにすることもできる。
【００３８】
なお、本実施の形態においては、油絵調からエアブラシ画調までの８種類の画調に変換するプログラムが記憶されているが、その優先順序は、（１）油絵調、（２）水彩画調、（３）パステル画調、（４）鉛筆画調、（５）クレヨン画調、（６）イラスト画調、（７）点描画調、（８）エアブラシ画調とする。
【００３９】
図３は、メモリカード１８の記録内容を示すメモリ構成図である。このメモリカード１８は、デジタルカメラに着脱自在に装着されていたものであって、図３（ａ）に示すフォルダＡと同図（ｂ）に示すフォルダＢ、及び図示しないフォルダＣとが設けられる。フォルダＡには、デジタルカメラでの撮影に伴って多数の画像がＪＰＥＧのファイル方式でファイル化されて、画像ファイルＦ１、Ｆ２、Ｆ３・・・として記録されている。
【００４０】
各画像ファイルＦ１、Ｆ２、Ｆ３・・・は、ＥＸＩＦ（Exchangeable Image File Format）などのデータを有するヘッダと、撮影された画像であり本画像である画像データ（本画像１、２、３・・・）と、その画像データの縮小画像であるサムネイルの画像データ（サムネイル１、２、３・・・）とで構成されている。なお、表示画面の大きさにより画面に表示すべき縮小画像の大きさが異なるため、サムネイルとは別に表示用のプレビュー画像を作成して記憶しておく場合もある。本実施の形態では、プレビュー画像も含めてサムネイルと表現している。
【００４１】
つまり、これら画像ファイルＦ１、Ｆ２、Ｆ３・・・は、一般的なデジタルカメラのファイルフォーマットである。したがって、デジタルカメラで撮像したＳＤカード（メモリカード１８）をメモリカードスロット６に差し込むだけで使用できるようになっている。
【００４２】
また、フォルダＢには、後述する処理により絵画調変換サムネイルを含む画像データ、あるいは本画像を画調変換した画像データが汎用的なファイル形式であるＪＰＥＧ方式により圧縮され、変換日時等の付加情報と共に静止画ファイルとして記憶される。
【００４３】
フォルダＣ（図示せず）は、メールやダウンロードなど、通信により受信した画像が記憶されるエリアである。ここではメモリカード１８内のエリアとしているが、メモリカードを装着しなくても使えるように、内部メモリに記憶するようにしてもよい。
【００４４】
以下、本実施の形態のエフェクトモードにおける画像表示装置１の具体的な動作について説明する。
【００４５】
図４は、本実施の形態においてエフェクトモードが設定されているときのＣＰＵ１１の処理手順を示すフローチャートである。エフェクトモードが設定されているとき、ＣＰＵ１１は、ＲＯＭ１２に記憶されているプログラムに従いこのフローチャートに示すように処理を実行する。
【００４６】
まず、ＣＰＵ１１は、メモリカード１８から表示対象の画像ファイルＦ１〜Ｆ１６のサムネイル画像データを読み出す。そして、これらサムネイル画像データに基づき、液晶表示パネル３にサムネイルを表示させる（ステップＳ１０１）。したがって、このステップＳ１０１での処理により、図５（ａ）に示すように、液晶表示パネル３には、サムネイル１〜１６が一覧表示される。なお、このときＣＰＵ１１は、液晶表示パネル３の下端隅部に決定ボタン３０５、ＡＬＬボタン３０６、ＮＥＸＴボタン３０７及び変換ボタン３０８をも表示させる。変換ボタン３０８は液晶表示パネル３に表示されている画調変換されたサムネイルに対応する本画像を一括して指定されている画調に変換するためのボタンである。
【００４７】
次に、現在液晶表示パネル３に表示されている画像（１６枚）のいずれかに対する指定操作としてのワンタッチ（例えば所定時間である１秒以内に１回のタッチ）が検出されたか否かを判断する（ステップＳ１０２）。いずれかの画像に対するワンタッチが検出された場合には、当該サムネイルを画調変換する（ステップＳ１０４）。このとき、優先順序は、油絵調が「（１）」であることから、当該サムネイルを油絵画調で画調変換処理する。
【００４８】
引き続き、変換した画調変換画像を液晶表示パネル３に表示する（ステップＳ１０５）。したがって、図５（ａ）に示すように、「サムネイル１」〜「サムネイル１６」が液晶表示パネル３に表示されている状態で「サムネイル７」にワンタッチすると、同図（ｂ）に示す表示状態に遷移する。これにより、液晶表示パネル３には、「サムネイル７」を除くサムネイル１〜１６とともに「サムネイル７」を油絵調で画調変換した「油絵調７」が表示される。
【００４９】
また、ＮＥＸＴボタン３０７がタッチされたか否か（ステップＳ１０５）、ＡＬＬボタン３０６がタッチされたか否か（ステップＳ１０７）、決定ボタン３０５がタッチされたか否か（ステップＳ１０８）、いずれかの画調変換画像にロングタッチ（例えば所定時間以上である２秒以上の継続したタッチ）されたか否か（ステップＳ１１２）、変換ボタン３０８にタッチされたか否か（ステップＳ１１４）を判断する。これらボタン３０５、３０６、３０７、３０８のいずれもタッチされない場合、及びいずれの画調変換画像にもロングタッチされない場合には、ステップＳ１１４からステップＳ１０２に戻る。
【００５０】
したがって、図５（ｂ）に示す表示状態で、ユーザが「油絵調７」にワンタッチすると、ステップＳ１０２の判断がＹＥＳとなる。このとき、優先順序は、「（１）油絵調」の次が「（２）水彩画調」であることから、「油絵調７」に対応するサムネイル７が水彩画調で画調変換処理される（ステップＳ１０３）。また、この画調変換された変調変換画像が液晶表示パネル３に表示される（ステップＳ１０４）。したがって、図５（ｂ）の表示状態から図６（ａ）の表示状態に遷移し、液晶表示パネル３には、「サムネイル７」を除くサムネイル１〜１６とともにサムネイル７を水彩画調で画調変換した「水彩画調７」
が「油絵調７」に代わって表示される。
【００５１】
したがって、素早く所望の画調変換を行った画像を見ることができるのみならず、いずれの画像をいずれの画調画像に変換するかを簡単に選択することができる。
【００５２】
サムネイルがＱＣＩＦサイズ（１７６×１４４ドット）くらいあれば十分に画調のニュアンスをみることができる。画像表示装置１の表示画面が大きく、３行３列表示にすれば
ＱＶＧＡサイズ（３２０×２４０ドット）のサムネイルも可能である。
【００５３】
また、図６（ａ）に示す表示状態で、ユーザがＮＥＸＴボタン３０７にタッチすると、ステップＳ１０５の判断がＹＥＳとなる。したがって、ＣＰＵ１１は、ステップＳ１０５からステップＳ１０６に進んで、液晶表示パネル３に表示されている１６枚の画像において、画調変換画像を除く画像（サムネイル）を次のサムネイルに表示変更する。
【００５４】
したがって、液晶表示パネル３は図６（ａ）の表示状態から同図（ｂ）の表示状態に遷移し、「水彩画調７」を除くサムネイル１〜６、８〜１６が次のファイル１７〜３１から読み出されたサムネイル１７〜３１に置き換えられて表示される。
【００５５】
よって、ＮＥＸＴボタン３０７をタッチすれば、それまでユーザが画調変換を所望して変換させた画調変調画像（「水彩画調７」）はそのまま維持される一方、所望しない他のサムネイルは新たなサムネイルに変更される。これにより、ユーザは所望のサムネイルを所望の画調で変換した後も、更に所望のサムネイルを所望の画調で変換するための操作を継続することができる。
【００５６】
また、図６（ｂ）に示す表示状態で、ユーザが「サムネイル２４」と「サムネイル２７」にワンタッチするとステップＳ１０２の判断がＹＥＳとなる。したがって、ＣＰＵ１１はステップＳ１０２からステップＳ１０３に処理を進めてワンタッチが検出されたサムネイルを画調変換する（ステップＳ１０４）。このとき、「サムネイル２４」と「サムネイル２７」に対するワンタッチは、最初のワンタッチであり優先順序は、油絵調が「（１）」であることから、当該サムネイルを油絵画調で画調変換処理する。
【００５７】
引き続き、変換した画調変換画像を液晶表示パネル３に表示する（ステップＳ１０５）。したがって、図６（ｂ）に示す表示状態から図７（ａ）に示す表示状態に遷移する。つまり、液晶表示パネル３には、サムネイル１７〜２２、２３、２５、２６、２８〜３１、及び「水彩画調７」はそのままで、サムネイル２４とサムネイル２７を油絵調で画調変換した「油絵調２４」と「油絵調２７」が、「サムネイル２４」と「サムネイル２７」とに代わってが表示される。
【００５８】
また、図７（ａ）に示す表示状態で、ユーザがＮＥＸＴボタン３０７にタッチすると、ステップＳ１０５の判断がＹＥＳとなる。したがって、ＣＰＵ１１は、ステップＳ１０５からステップＳ１０６に進んで、液晶表示パネル３に表示されている１６枚の画像において、画調変換画像を除く画像（サムネイル）を次のサムネイルに表示変更する。
【００５９】
したがって、液晶表示パネル３は図７（ａ）の表示状態から同図（ｂ）の表示状態に遷移し、「水彩画調７」、「油絵調２４」、「油絵調２７」を除くサムネイル１７〜２２、２３、２５、２６、２８〜３１に代わって、次の１３個のファイル３２〜４４から読み出されたサムネイル３２〜４４に置き換えられて表示される。
【００６０】
よって、ＮＥＸＴボタン３０７をタッチすれば、それまでユーザが画調変換を所望して変換させた画調変調画像（「水彩画調７」）、「油絵調２４」、「油絵調２７」）はそのまま維持される一方、所望しない他のサムネイル（サムネイル１７〜２２、２３、２５、２６、２８〜３１）は新たなサムネイル（サムネイル３２〜４４）に変更される。これにより、ユーザは所望のサムネイルを所望の画調で変換した後も、更に所望のサムネイルを所望の画調で変換するための操作を継続することができる。
【００６１】
また、図７（ｂ）に示すように、ユーザが
１）「サムネイル３２」とその変換画調画像とにワンタッチを計３回
２）「サムネイル３３」とその変換画調画像とにワンタッチを計２回
３）「サムネイル３５」とその変換画調画像とにワンタッチを計３回
４）「サムネイル４２」とその変換画調画像とにワンタッチを計３回
したとする。すると、サムネイルに対するワンタッチが検出される都度、前述したステップＳ１０３の処理とステップＳ１０４の処理が実行される。
【００６２】
したがって、図７（ｂ）の表示状態から図８（ａ）の表示状態に遷移し、
１）ワンタッチが計３回された「サムネイル３２」は、優先順位「（３）パステル画調」    により「パステル画調３２」に変換されて表示され、
２）ワンタッチが計２回された「サムネイル３３」は、優先順位「（２）水彩画調」によ    り「水彩画調３３」に変換されて表示され、
３）ワンタッチが計３回された「サムネイル３５」は、優先順位「（３）パステル画調」    により「パステル画調３５」に変換されて表示され、
４）ワンタッチが計３回された「サムネイル４２」は、優先順位「（３）パステル画調」    により「パステル画調４２」に変換されて表示された状態となる。
【００６３】
また、ワンタッチされなかった「サムネイル３４」、「サムネイル３６」、「サムネイル３７」、「水彩画調７」、「サムネイル３８」、「油絵調２４」、「サムネイル３９」、「サムネイル４０」、「油絵調２７」、「サムネイル４１」、「サムネイル４３」、「サムネイル４４」は従前と同様に表示され続けられる。
【００６４】
また、ユーザが決定ボタン３０５をタッチすると、ステップＳ１０８の判断がＹＥＳとなり、ＣＰＵ１１はステップＳ１０８からステップＳ１０９以降に処理を進める。すなわち、決定ボタン３０５がタッチされたならば、液晶表示パネル３の画面上に表示されている全画像を含む単一性を有する画像データを生成する（ステップＳ１０９）。
【００６５】
したがって、例えば図８（ａ）の表示状態でユーザが決定ボタン３０５にタッチしたとすると、全画像は同図（ｂ）に示すように、「パステル画調３２」「水彩画調３３」「サムネイル３４」「パステル画調３５」「サムネイル３６」「サムネイル３７」「水彩画調７」「サムネイル３８」「油絵調２４」「サムネイル３９」「サムネイル４０」「油絵調２７」「サムネイル４１」「パステル画調４２」「サムネイル４３」「サムネイル４４」からなる１６枚の画像である。よって、ステップＳ１０９では、図８（ｂ）に示すように、これら１６枚の画像を表すことのできる単一性を有する画像データＤ００が生成される。
【００６６】
さらに、ＣＰＵ１１はこの生成した画像データＤ００をＪＰＥＧ方式で処理し、圧縮する（ステップＳ１１０）。したがって、このステップＳ１１０での処理により、前記画像データ「Ｄ００」からＪＰＥＧ形式の画像データ「Ｄ００.ＪＰＥＧ」が生成される。そして、この生成されたＪＰＥＧ形式の画像データをメモリカード１８のフォルダＢに保存する（ステップＳ１１０）。したがって、このステップＳ１１０での処理により、メモリカード１８のフォルダＢには、図３（ｂ）に示すように、ＪＰＥＧ形式の画像データ「Ｄ００.ＪＰＥＧ」が記憶される。
【００６７】
このフォルダＢに記憶された画像データ「Ｄ００.ＪＰＥＧ」にあっては、ＪＰＥＧ形式の画像データであることから、メモリカード１８を当該画像表示装置１から取り外して、他のＤＰＦ等に装着することにより、サムネイル３４、３６、３７、３８、３９、４０、４１、４３、４４及び各変調画像３２、３３、３５、７、２４、２７、４２を再生して表示することができる。したがって、この画像表示装置１で素早く所望の画調変換を行った画像を見ることができるという効果を他の機器でも得ることができる。ここでは、所定の形式としてＪＰＥＧを例に取ったが、ＪＰＥＧに限るものではない。また、画像表示装置で作成した特殊な形式の画像も、メモリカード経由で他の画像表示装置に表示させることができる。
【００６８】
因みに、他の機器で「Ｄ００.ＪＰＥＧ」に基づく画像を表示させても、画像データは１つのＪＰＥＧ画像であるため、あくまで全体の雰囲気を素早く把握するためのものであってその中の１つの縮小画像を選択することはできない。
【００６９】
また、ＡＬＬボタン３０６がタッチされると、ステップＳ１０７の判断がＹＥＳとなり、ＣＰＵ１１はステップＳ１０７からステップＳ１０１に戻って最初からの処理を再度実行する。したがって、ユーザが画調変換を最初からやり直す必要があるとした場合には、ＡＬＬボタン３０６をタッチすることにより、それまでの画調変換を無効にして引き続き最初から画調変換を行うことができる。
【００７０】
また、ユーザが決定ボタン３０５とＡＬＬボタン３０６、及び変換ボタン３０７にタッチすることなく、いずれかの画調変換画像にロングタッチしたとすると、ステップＳ１０７及びステップＳ１０８の判断はＮＯとなり、かつステップＳ１１２の判断がＹＥＳとなる。したがって、ＣＰＵ１１はステップＳ１１２からステップＳ１１３へ進み、当該画調変換された画像に対応するサムネイルに対応する本画像を当該画調で画調変換して表示する。
【００７１】
つまり、図８（ａ）の状態で、「水彩画調３３」にロングタッチしたとすると、「水彩画調３３」に対応するサムネイルは「サムネイル３３」であり、「サムネイル３３」に対応する本画像は「本画像３３」ある。したがって、「本画像３３」を水彩画調で画調変換した画像データを生成し、この画像データに基づく変換画調画像を表示する。引き続き、本画像を画調変換した画像データを前述と同様に、ＪＰＥＧ処理して（ステップＳ１１０）、フォルダＢに保存する（Ｓ１１１）。
【００７２】
したがって、前述のようにサムネイルを画調変換した画像により、画像表示装置１で素早く所望の画調変換を行った画像を見ることができるのみならず、見た結果、気に入った画調の画像に対応する本画像を当該画調で変換して観賞し、保存しておくこともできる。
【００７３】
また、ユーザが決定ボタン３０５とＡＬＬボタン３０６にタッチすることなく、かついずれかの画調変換画像にロングタッチすることなく、変換ボタン３０７にタッチしたとすると、ステップＳ１０７、ステップＳ１０８及びステップＳ１１２の判断はＮＯとなり、かつステップＳ１１４の判断がＹＥＳとなる。したがって、ＣＰＵ１１はステップＳ１１４からステップＳ１１５へ進み、各画調変換画像のサムネイルに対応する本画像を当該画調で画調変換して、順次表示する。
【００７４】
つまり、図８（ａ）の状態で、変換ボタンにタッチしたとすると、７個の画調変調画像「パステル画調３２」「水彩画調３３」「パステル画調３５」「水彩画調７」「油絵画調２４」「油絵画調２７」「パステル画調４２」が存在する。そして、
１）「パステル画調３２」に対応するサムネイルは「サムネイル３２」であり、
２）「水彩画調３３」に対応するサムネイルは「サムネイル３３」であり、
３）「パステル画調３５」に対応するサムネイルは「サムネイル３５」であり、
４）「水彩画調７」に対応するサムネイルは「サムネイル７」であり、
５）「油絵画調２４」に対応するサムネイルは「サムネイル２４」であり、
６）「油絵画調２７」に対応するサムネイルは「サムネイル２７」であり、
７）「パステル画調４２」に対応するサムネイルは「サムネイル４２」である。
【００７５】
したがって、
１）「サムネイル３２」に対応する「本画像３２」をパステル画調で、
２）「サムネイル３３」に対応する「本画像３３」を水彩画調で、
３）「サムネイル３５」に対応する「本画像３５」をパステル画調で、
４）「サムネイル７」に対応する「本画像７」を水彩画調で、
５）「サムネイル２４」に対応する「本画像２４」を油絵画調で、
６）「サムネイル２７」に対応する「本画像２７」を油絵画調で、
７）「サムネイル４２」に対応する「本画像４２」をパステル画調で、
各々画調変換した画像データを生成し、この画像データに基づく変換画調画像を順次表示する。引き続き、本画像を画調変換した画像データを前述と同様に、ＪＰＥＧ処理して（ステップＳ１１０）、フォルダＢに保存する（Ｓ１１１）。
【００７６】
したがって、前述のようにサムネイルを画調変換した画像により、画像表示装置１で素早く所望の画調変換を行った画像を見ることができるのみならず、見た結果、気に入った画調の画像に対応する本画像の全てを当該画調で変換して観賞し、保存しておくこともできる。
【００７７】
なお、本実施の形態においては、図８（ｂ）に示すように、サムネイルも含んで状態で最終的に決定した所望のサムネイルを所望の画調で変換した画像を含むデータをＪＰＥＧで記録するようにした。しかし、図９に示すように、サムネイルを除く画調画像「パステル画調３２」「水彩画調３３」「パステル画調３５」「水彩画調７」「油絵調２４」「油絵調２７」「パステル画調４２」を表示可能な単一性を有するデータＤ０１を生成し、これをＪＰＥＧ処理したＤ０１.ＪＰＥＧを図３（ｂ）に示すように、メモリカード１８のフォルダＢに記録するようにしてもよい。このようにすれば、最終的に決定した所望のサムネイルを所望の画調で変換した画像のみからなるＪＰＥＧ画像を記録して、他の機器で再生することができる。
【００７８】
また、実施の形態においては、本発明をデジタルフォトフレームに適用した場合を説明したが、本発明は、デジタルフォトフレームに限定されるものでなく、例えば、各種のコンピュータ、ＰＤＡ、携帯電話、デジタルカメラ、プリンタなどの電子機器においても適用することができる。
【符号の説明】
【００７９】
１    画像表示装置
２    本体
３    液晶表示パネル
５    操作スイッチ
６    メモリカードスロット
１１    ＣＰＵ
１２    ＲＯＭ
１３    ＲＡＭ
１６    表示コントローラ
１８    メモリカード
１９    タッチパネル
３０５    決定ボタン
３０６    ＡＬＬボタン
３０７    ＮＥＸＴボタン
【図１】
2011248760.tif 000003
【図２】
2011248760.tif 000004
【図３】
2011248760.tif 000005
【図４】
2011248760.tif 000006
【図５】
2011248760.tif 000007
【図６】
2011248760.tif 000008
【図７】
2011248760.tif 000009
【図８】
2011248760.tif 000010
【図９】
2011248760.tif 000011